(57)【要約】【課題】電気泳動表示装置において中間調を表示する際のノイズを低減する。【解決手段】第１表示状態（例えば白色）にある画素（２０）に対して、少なくとも１の駆動電圧パルス（Ｐａ１、Ｐａ２）のうち第１の駆動電圧パルス（Ｐａ１）が印加される前に、データ線（Ｘｄ１、Ｘｄ２）から供給されたデータ信号がメモリー回路（２５）に保持された状態で、第１の制御線（９５）の電位と、第２の制御線（９４）の電位と、共通電位（Ｖｃｏｍ）とのうち少なくともいずれかを変化させることによって、第１の駆動電圧パルス（Ｐａ１）とは極性が逆の補償電圧パルス（Ｐｃ１）が電気泳動素子（２３）に印加される。【選択図】図９
2011186075.tif 000002
【特許請求の範囲】
【請求項１】
走査線とデータ線との交差に対応して設けられ、第１電極と、第２電極と、該第１電極と該第２電極との間に挟持された電気泳動粒子を含む電気泳動素子と、画素スイッチング素子と、メモリー回路と、を含む画素を複数備えた電気泳動表示装置であって、
第１の制御線と、第２の制御線と、前記画素に設けられたスイッチ回路と、電位制御部と、を更に備え、
前記画素スイッチング素子は、前記メモリー回路の入力端子と前記データ線との間に設けられ、
前記スイッチ回路は、前記メモリー回路の出力端子と前記第１電極との間に設けられ、
前記第１の制御線と前記第１電極との接続状態と、前記第２の制御線と前記第１電極との接続状態とは、前記データ線から供給されるデータ信号に基づいて前記スイッチ回路によって制御され、
前記電位制御部は、
前記第１の制御線に供給する電位を第１の電位と第２の電位との間で、
前記第２の制御線に供給する電位を第１の電位と第２の電位との間で、
前記第２電極に供給する電位を第３の電位と第４の電位との間で、
切り替え、
前記第１電極の電位が前記第２電極の電位よりも高い場合に前記第１電極と前記第２電極との間に生じる電位差を正極性とし、
前記画素の表示状態として、
前記正極性の電圧と前記正極性とは異なる負極性の電圧とのうち一方の電圧を前記電気泳動素子に印加することによって第１表示状態が選択され、
前記正極性の電圧と前記負極性の電圧のうち前記一方の電圧とは異なる他方の電圧を前記電気泳動素子に印加することによって第２表示状態が選択され、
前記第１表示状態又は前記第２表示状態にある画素の前記電気泳動素子に印加される少なくとも１の駆動電圧パルスの総持続時間に応じて、前記第１表示状態と前記第２表示状態との間の中間調が選択され、
前記少なくとも１の駆動電圧パルスのうち第１の駆動電圧パルスが前記電気泳動表示素子に印加される前に、前記第１表示状態又は前記第２表示状態にある画素に対して、前記データ線から供給されたデータ信号が前記メモリー回路に保持された状態で、前記第１の制御線に印加される電圧と前記第２の制御線に印加される電圧と前記第２電極に印加される電圧とのうち少なくともいずれかを変化させることによって、該第１の駆動電圧パルスとは極性が逆の補償電圧パルスが前記電気泳動素子に印加される
ことを特徴とする電気泳動表示装置。
【請求項２】
前記少なくとも１の駆動電圧パルスのうち第２の駆動電圧パルスが前記電気泳動素子に印加される前に、前記データ線から供給されたデータ信号が前記メモリー回路に保持された状態で、前記第１の制御線に印加される電圧と前記第２の制御線に印加される電圧と前記第２電極に印加される電圧とのうち少なくともいずれかを変化させることによって、該第２の駆動電圧パルスとは極性が逆の補償電圧パルスが前記電気泳動素子に印加されることを特徴とする請求項１に記載の電気泳動表示装置。
【請求項３】
前記少なくとも１の駆動電圧パルスはいずれも同じ極性であり、前記補償電圧パルスを印加した後、前記少なくとも１の駆動電圧パルスを前記電気泳動素子に連続的に印加することを特徴とする請求項１又は２に記載の電気泳動表示装置。
【請求項４】
前記補償電圧パルスの持続時間は、前記少なくとも１の駆動電圧パルスの総持続時間よりも短いことを特徴とする請求項１から３のいずれか一項に記載の電気泳動表示装置。
【請求項５】
前記補償電圧パルスの持続時間は、前記少なくとも１の駆動電圧パルスの総持続時間よりも長いことを特徴とする請求項１から３のいずれか一項に記載の電気泳動表示装置。
【請求項６】
前記第１又は第２表示状態が選択される画素に対しては、前記補償電圧パルスを印加しないことを特徴とする請求項１から５のいずれか一項に記載の電気泳動表示装置。
【請求項７】
請求項１から６に記載の電気泳動表示装置を備えることを特徴とする電子機器。
【発明の詳細な説明】
【技術分野】
【０００１】
本発明は、電気泳動表示装置及び電子機器の技術分野に関する。
【背景技術】
【０００２】
この種の電気泳動表示装置では、複数の画素の各々において、画素電極及び共通電極間に挟持された例えば白色と黒色の電気泳動粒子を含む電気泳動素子に電圧を印加することにより、電気泳動粒子を移動させることで画像を表示する。また、各画素において電気泳動素子に電圧を印加する時間を変更することにより、中間調（例えば灰色）を表示する。
【０００３】
他方、この種の電気泳動表示装置として、画素スイッチング素子、メモリー回路（例えばＳＲＡＭ；Static Random Access Memory）、スイッチ回路の各々を構成する９つのトランジスター（ＴＦＴ；Thin Film Transistor）を有する画素回路（以下、「９Ｔ型の画素回路」と適宜称する）を備えるものがある。尚、後に構成及び動作は詳述するが、９Ｔ型の画素回路では画素スイッチング素子を介してメモリー回路にデータ信号が供給され且つ保持された状態で、電気泳動素子に電圧を印加する時間を調整する。
【０００４】
例えば特許文献１には、電気泳動表示装置において、表示色を切り替える場合、切替前の表示色の連続表示時間に応じて、駆動電圧の印加時間を変化させることにより、色の不均一表示を回避する技術が開示されている。
【先行技術文献】
【特許文献】
【０００５】
【特許文献１】特開２００７−７９１７０号公報
【発明の概要】
【発明が解決しようとする課題】
【０００６】
この種の電気泳動表示装置では、中間調を表示する際、各画素に設けられた画素回路の製造バラツキに起因して、表示にノイズが発生してしまうおそれがあるという技術的問題点がある。
【０００７】
例えば９Ｔ型の画素回路では、メモリー回路に保持されたデータ信号に基づいて第１及び第２の制御線のいずれかが排他的にスイッチ回路によって選択されて、画素電極と電気的に接続される。各画素間において、スイッチ回路を構成するトランジスターの製造バラツキに起因して、第１及び第２の制御線の各々と電気泳動素子との間の電気的な抵抗の値もばらつき、電気泳動素子に印加される電圧にばらつきが生じる。その結果、同一の中間調を表示すべき画素間で異なる中間調が表示されてしまうおそれがあるという技術的問題点がある。特に、このような中間調を表示する際のノイズは、中間調を表示するために駆動電圧を印加する時間が短いほど、顕著に発生する傾向がある。
【０００８】
本発明は、例えば上述した問題点に鑑みなされたものであり、中間調を表示する際のノイズを低減でき、高品位な表示を行うことが可能な電気泳動表示装置及び該電気泳動表示装置を備える電子機器を提供することを課題とする。
【課題を解決するための手段】
【０００９】
本発明に係る電気泳動表示装置の駆動方法は上記課題を解決するために、走査線とデータ線との交差に対応して設けられ、第１電極と、第２電極と、該第１電極と該第２電極との間に挟持された電気泳動粒子を含む電気泳動素子と、画素スイッチング素子と、メモリー回路と、を含む画素を複数備えた電気泳動表示装置であって、第１の制御線と、第２の制御線と、前記画素に設けられたスイッチ回路と、電位制御部と、を更に備え、前記画素スイッチング素子は、前記メモリー回路の入力端子と前記データ線との間に設けられ、前記スイッチ回路は、前記メモリー回路の出力端子と前記第１電極との間に設けられ、前記第１の制御線と前記第１電極との接続状態と、前記第２の制御線と前記第１電極との接続状態とは、前記データ線から供給されるデータ信号に基づいて前記スイッチ回路によって制御され、前記電位制御部は、前記第１の制御線に供給する電位を第１の電位と第２の電位との間で、前記第２の制御線に供給する電位を第１の電位と第２の電位との間で、前記第２電極に供給する電位を第３の電位と第４の電位との間で、切り替え、前記第１電極の電位が前記第２電極の電位よりも高い場合に前記第１電極と前記第２電極との間に生じる電位差を正極性とし、前記画素の表示状態として、前記正極性の電圧と前記正極性とは異なる負極性の電圧とのうち一方の電圧を前記電気泳動素子に印加することによって第１表示状態が選択され、前記正極性の電圧と前記負極性の電圧のうち前記一方の電圧とは異なる他方の電圧を前記電気泳動素子に印加することによって第２表示状態が選択され、前記第１表示状態又は前記第２表示状態にある画素の前記電気泳動素子に印加される少なくとも１の駆動電圧パルスの総持続時間に応じて、前記第１表示状態と前記第２表示状態との間の中間調が選択され、前記少なくとも１の駆動電圧パルスのうち第１の駆動電圧パルスが前記電気泳動表示素子に印加される前に、前記第１表示状態又は前記第２表示状態にある画素に対して、前記データ線から供給されたデータ信号が前記メモリー回路に保持された状態で、前記第１の制御線に印加される電圧と前記第２の制御線に印加される電圧と前記第２電極に印加される電圧とのうち少なくともいずれかを変化させることによって、該第１の駆動電圧パルスとは極性が逆の補償電圧パルスが前記電気泳動素子に印加される。
【００１０】
本発明に係る電気泳動表示装置によれば９Ｔ型の画素回路を備えており、画素スイッチング素子を介してデータ線より供給され、メモリー回路に保持されたデータ信号に基づいて、スイッチ回路が第１及び第２の制御線と第１電極（例えば画素電極）との電気的な接続を制御する。電位制御部によって、第１及び第２の制御線は夫々第１及び第２の電位の各々に切り替えられる。第１電極（例えば画素電極）の電位は、第１若しくは第２の制御線から供給される第１若しくは第２の電位に対応して切り替えられる。一方、第２電極（例えば共通電極）は、電位制御部によって第３及び第４の電位の各々に切り替えられる。電気泳動素子には、第１電極及び第２電極の電位差に応じた電圧が印加される。第１電極の電位が第２電極の電位よりも高い場合には、電気泳動素子には正極性の電圧が印加され、第２電極の電位が第１電極の電位よりも高い場合には、電気泳動素子には負極性の電圧が印加される。これにより電気泳動素子が駆動され、第１及び第２表示状態が夫々選択される。
【００１１】
本発明では、第１表示状態（例えば白色）又は第２表示状態（例えば黒色）にある画素に少なくとも１の駆動電圧パルスを電気泳動素子に印加することにより、該画素において中間調（即ち中間階調、例えば灰色）を表示する。この際、１の駆動電圧パルスが画素に印加されることにより、第１電極及び第２電極間には所定の持続時間に応じた電位差が生じる。よって、複数の駆動電圧パルスが画素に印加される場合には、複数の駆動電圧パルスの各々の持続時間を加え合わせた総持続時間に応じて第１電極及び第２電極間に電位差が生じる。
【００１２】
本発明では特に、第１表示状態又は第２表示状態が選択された状態にある画素に対し、少なくとも１の駆動電圧パルスのうち第１の駆動電圧パルスを印加して中間調を選択する際、第１の駆動電圧パルスを印加する前に、第１の駆動電圧パルスとは極性が逆の補償電圧パルスを印加する。即ち、中間調を表示する際、先ず、中間調を表示すべき画素の表示状態として第１表示状態又は第２表示状態を選択する（即ち、中間調を選択すべき画素の第１及び第２電極間に正極性又は負極性の電圧を印加することにより、中間調を選択すべき画素を、一旦、第１表示状態又は第２表示状態にする）。
【００１３】
次に、該第１表示状態又は第２表示状態が選択された画素に対して、第１の駆動電圧パルスとは極性が逆の補償電圧パルスを印加する。即ち、第１表示状態又は第２表示状態が選択された画素における第１及び第２電極間に、正極性又は負極性の補償電圧パルスの持続時間だけ第１及び第２電極間に正極性又は負極性の電圧を印加する。この際、第１表示状態又は第２表示状態を選択するために第１及び第２電極間に正極性又は負極性の電圧を印加した後、これと同じ極性の補償電圧パルスを印加し、該第１及び第２電極間には補償電圧パルスの持続時間だけ正極性又は負極性の電圧が更に印加される。次に、第１表示状態又は第２表示状態が選択された画素（言い換えれば補償電圧パルスが印加された画素）に対して、表示すべき中間調に近づくように、第１の駆動電圧パルスを印加する。
【００１４】
ここに、第１の駆動電圧パルスは、第１又は第２の制御線、更には第２電極の各電位に基づいて第１及び第２電極間に印加され、補償電圧パルスは画素においてデータ信号がメモリー回路に保持された状態で、第１又は第２の制御線、更には第２電極の少なくともいずれかを、第１の駆動電圧パルスとは極性が逆になるように変化させることによって印加される。
【００１５】
上述のように、中間調を表示する際、第１表示状態又は第２表示状態が選択された画素に対して、補償電圧パルスを印加した後、第１の駆動電圧パルスを印加する（言い換えれば、中間調を選択すべき画素に対して第１の駆動電圧パルスを印加する前に、該画素を第１表示状態又は第２表示状態とし、更に該画素に対して第１の駆動電圧パルスとは極性が逆の補償電圧パルスを印加する）ことにより、複数の画素の各々に設けられた画素回路の製造バラツキに起因する表示上のノイズを低減或いは除去することができる（即ち、同一の中間調を表示すべき画素間で異なる中間調が表示されてしまうことを低減することができる）。つまり、本発明に係る電気泳動表示装置によれば、例えば、中間調を表示すべき画素に第１の駆動電圧パルスのみを印加することにより該画素に中間調を表示させる場合と比較して、第１及び第２電極間に電圧を印加する時間を長くすることができるので、上述したように駆動電圧を印加する時間が短いほど顕著に発生する傾向があるノイズ（即ち、中間調を表示する際のノイズ）を効果的に低減或いは除去することができる。この結果、高品位な表示を行うことができる。
【００１６】
尚、第１の駆動電圧パルスは、中間調を表示すべき画素に対して補償電圧パルスが印加された直後（例えば、補償電圧パルスが印加されてから１秒以内など）に印加されるのが好ましい。この場合には、上述したような表示上のノイズをより一層確実に低減或いは除去することができる。即ち、補償電圧パルスを印加してから第１の駆動電圧パルスを印加するまでの期間が短いほど、上述したような表示上のノイズをより一層確実に低減或いは除去することができる。
【００１７】
以上説明したように、本発明に係る電気泳動表示装置によれば、中間調を表示する際のノイズを低減でき、高品位な表示を行うことが可能となる。
【００１８】
本発明に係る電気泳動表示装置の一態様では、前記少なくとも１の駆動電圧パルスのうち第２の駆動電圧パルスが前記電気泳動素子に印加される前に、前記データ線から供給されたデータ信号が前記メモリー回路に保持された状態で、前記第１の制御線に印加される電圧と前記第２の制御線に印加される電圧と前記第２電極に印加される電圧とのうち少なくともいずれかを変化させることによって、該第２の駆動電圧パルスとは極性が逆の補償電圧パルスが前記電気泳動素子に印加される。
【００１９】
この態様では、第１表示状態又は第２表示状態が選択された状態にある画素に対し、少なくとも１の駆動電圧パルスのうち第１の駆動電圧パルスに加えて第２の駆動電圧パルスを印加する。この際、第１の駆動電圧パルスが印加される画素と、第２の駆動電圧パルスが印加される画素とでは互いに、第１及び第２の駆動電圧パルスの各々の持続時間が異なる場合に、第１及び第２電極間に生じる電位差も異なる。従ってこの場合に、第１の駆動電圧パルスが印加される画素と、第２の駆動電圧パルスが印加される画素とで互いに異なる中間調を表示することが可能となる。
【００２０】
この態様によれば、典型的には第１の駆動電圧パルスを印加する前に補償電圧パルスを印加し、加えてこれと同様に、第２の駆動電圧パルスを印加する前にも第２の駆動電圧パルスとは極性が逆の補償電圧パルスを印加する。よって、この場合には第１及び第２の駆動電圧パルスの各々の印加の度に、補償電圧パルスが印加される。従って、第１の駆動電圧パルスに加えて第２の駆動電圧パルスによって中間調を表示する際にも、画素回路の製造バラツキに起因する表示上のノイズを低減或いは除去することができる。
【００２１】
また、第１及び第２の駆動電圧パルスの各々の印加の度に、補償電圧パルスを印加する場合には、第１及び第２の駆動電圧パルスの各々が印加される画素において、補償電圧パルスの印加の直後に第１及び第２の駆動電圧パルスの各々を印加することができる。即ち、第１及び第２の駆動電圧パルスの各々について、該駆動電圧パルスの印加と補償電圧パルスの印加との期間をより短くすることが可能となるため、上述したような表示上のノイズをより一層確実に低減或いは除去することができる。
【００２２】
本発明に係る電気泳動表示装置の他の態様では、前記少なくとも１の駆動電圧パルスはいずれも同じ極性であり、前記補償電圧パルスを印加した後、前記少なくとも１の駆動電圧パルスを前記電気泳動素子に連続的に印加する。
【００２３】
この態様によれば、いずれも同じ極性を有する少なくとも１の駆動電圧パルスを夫々印加する場合に、少なくとも１の駆動電圧パルスの各々とは極性が逆の補償電圧パルスを印加する。その後、少なくとも１の駆動電圧パルスの各々の印加は、間に補償電圧パルスの印加を挿むことなく連続的に行われる。
【００２４】
従ってこの態様では、少なくとも１の駆動電圧パルスの各々を印加するたびに補償電圧パルスを印加する場合と比較して、中間調を速やかに表示することができる（即ち、表示すべき中間調を表示するのに必要とする時間を短くすることができる）。更に、第１及び第２の制御線、並びに第２電極に夫々電圧を印加するのに必要となる消費電力を抑制することができる。
【００２５】
本発明に係る電気泳動表示装置の他の態様では、前記補償電圧パルスの持続時間は、前記少なくとも１の駆動電圧パルスの総持続時間よりも短い。
【００２６】
この態様では、例えば、補償電圧パルスの持続時間が少なくとも１の駆動電圧パルスの総持続時間よりも長い場合と比較して、中間調を速やかに表示することができる（即ち、表示すべき中間調を表示するのに必要とする時間を短くすることができる）。更に、第１及び第２の制御線、並びに第２電極に夫々電圧を印加するのに必要となる消費電力を抑制することができる。
【００２７】
本発明に係る電気泳動表示装置の他の態様では、前記補償電圧パルスの持続時間は、前記少なくとも１の駆動電圧パルスの総持続時間よりも長い。
【００２８】
この態様では、例えば、第１及び第２電極間に対して正極性及び負極性のうち、一方よりも他方の電圧が印加されたときのほうが、電気泳動層に含まれる電気泳動粒子が移動しにくい場合であっても、第１及び第２の制御線、並びに第２電極の各々に印加される電圧を変化させることにより、表示すべき中間調を確実に表示することができる。
【００２９】
尚、補償電圧パルスの持続時間は、例えば、電気泳動層に含まれる電気泳動粒子の特性（例えば、電気泳動粒子の移動のしやすさ）に基づいて設定されてもよい。
【００３０】
本発明に係る電気泳動表示装置の他の態様では、前記第１又は第２表示状態が選択される画素に対しては、前記補償電圧パルスを印加しない。
【００３１】
この態様では、第１及び第２表示状態が夫々選択される画素の各々を確実に夫々第１又は第２表示状態とすることができる。
【００３２】
即ち、この態様では、第１表示状態（例えば白色）にある画素を、第２表示状態（例えば黒色）にする場合には、該画素に対しては駆動電圧パルスのみが印加され、補償電圧パルスは印加されない。よって、第２表示状態となるべき画素については、第２表示状態よりも第１表示状態に近い状態の表示（例えば白に寄った黒色、即ち灰色の表示）が視認される煩わしさを回避することができる。
【００３３】
一方、第１表示状態にある画素はこの状態が維持され、補償電圧パルスは印加されない。よって、第１表示状態となるべき画素についても、第１表示状態よりも第２表示状態に近い表示が視認される煩わしさを回避することができる。
【００３４】
本発明の電子機器は上記課題を解決するために、上述した本発明の電気泳動表示装置（但し、その各種態様も含む）を備える。
【００３５】
本発明の電子機器によれば、上述した本発明の電気泳動表示装置を具備してなるので、高品位な表示を行うことが可能な、例えば、腕時計、電子ペーパー、電子ノート、携帯電話、携帯用オーディオ機器などの各種電子機器を実現できる。
【００３６】
本発明の作用及び他の利得は次に説明する発明を実施するための形態から明らかにされる。
【図面の簡単な説明】
【００３７】
【図１】本実施形態に係る電気泳動表示装置の全体構成を示すブロック図である。
【図２】画素の電気的な構成を示す等価回路図である。
【図３】本実施形態に係る電気泳動表示装置の表示部の部分断面図である。
【図４】マイクロカプセルの構成を示す模式図である。
【図５】中間調を含む画像の一例を表示した状態の電気泳動表示装置の表示部を示す模式図である。
【図６】本実施形態に係る電気泳動表示装置の一の動作を示す概念図である。
【図７】本実施形態に係る電気泳動表示装置の他の動作を示す概念図である。
【図８】本実施形態に係る電気泳動表示装置の動作の概要を示すフローチャートである。
【図９】第１実施形態の電気泳動表示装置の動作例を説明するためのタイミングチャートである。
【図１０】灰色を表示すべき画素における予備全面白駆動での動作について概略的に示す説明図である。
【図１１】灰色を表示すべき画素における通常黒駆動での動作について概略的に示す説明図である。
【図１２】第２実施形態の電気泳動表示装置の動作例を説明するためのタイミングチャートである。
【図１３】第３実施形態の電気泳動表示装置の動作例を説明するためのタイミングチャート（その１）である。
【図１４】第３実施形態の電気泳動表示装置の動作例を説明するためのタイミングチャート（その２）である。
【図１５】電気泳動表示装置を適用した電子機器の一例たる電子ペーパーの構成を示す斜視図である。
【図１６】電気泳動表示装置を適用した電子機器の一例たる電子ノートの構成を示す斜視図である。
【発明を実施するための形態】
【００３８】
以下では、本発明の実施形態について図を参照しつつ説明する。
【００３９】
先ず、本実施形態に係る電気泳動表示装置の全体構成について、図１及び図２を参照して説明する。
【００４０】
図１は、本実施形態に係る電気泳動表示装置の全体構成を示すブロック図である。
【００４１】
図１において、本実施形態に係る電気泳動表示装置１は、その主要な構成要素として表示部３、走査線駆動回路６０及びデータ線駆動回路７０を備えている。
【００４２】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００４３】
走査線駆動回路６０は、タイミング信号に基づいて、走査線Ｙ１、Ｙ２、…、Ｙｍの各々に走査信号を順次供給する。データ線駆動回路７０は、タイミング信号に基づいて、データ線Ｘ１、Ｘ２、…、Ｘｎにデータ信号を供給する。データ信号は、高電位レベル（以下「ハイレベル」という。）又は低電位レベル（以下「ローレベル」という。）の２値的なレベルをとる。
【００４４】
ここに、各画素２０は、高電位電源線９１、低電位電源線９２、共通電位線９３、第１及び第２の制御線９５及び９４に電気的に接続されている。高電位電源線９１、低電位電源線９２、共通電位線９３、第１及び第２の制御線９５及び９４は夫々、典型的には図１中に示すように行方向（Ｘ方向）に沿って配列する画素２０からなる画素列毎に、画素列に属する画素２０に共通に配線される。
【００４５】
図２は、画素の電気的な構成を示す等価回路図である。
【００４６】
図２において、画素２０は、本発明に係る「画素スイッチング素子」の一例である画素スイッチング用トランジスター２４と、メモリー回路２５と、スイッチ回路１１０と、画素電極２１と、共通電極２２と、電気泳動素子２３とを備えている。
【００４７】
画素スイッチング用トランジスター２４は、一例としてＮ型トランジスターで構成されている。画素スイッチング用トランジスター２４は、そのゲートが走査線４０に電気的に接続されており、そのソースがデータ線５０に電気的に接続されており、そのドレインがメモリー回路２５の入力端子Ｎ１に電気的に接続されている。画素スイッチング用トランジスター２４は、データ線駆動回路７０（図１参照）からデータ線５０を介して供給されるデータ信号を、走査線駆動回路６０（図１参照）から走査線４０を介して供給される走査信号に応じたタイミングで、メモリー回路２５の入力端子Ｎ１に出力する。
【００４８】
メモリー回路２５は、一例としてインバーター回路２５ａ及び２５ｂを有しており、ＳＲＡＭ（Static Random Access Memory）として構成されている。
【００４９】
インバーター回路２５ａ及び２５ｂは、互いの入力端子に他方の出力端子が電気的に接続されたループ構造を有している。即ち、インバーター回路２５ａの入力端子とインバーター回路２５ｂの出力端子とが互いに電気的に接続され、インバーター回路２５ｂの入力端子とインバーター回路２５ａの出力端子とが互いに電気的に接続されている。インバーター回路２５ａの入力端子が、メモリー回路２５の入力端子Ｎ１として構成されており、インバーター回路２５ａの出力端子が、メモリー回路２５の出力端子Ｎ２として構成されている。
【００５０】
インバーター回路２５ａは、Ｎ型トランジスター２５ａ１及びＰ型トランジスター２５ａ２を有している。Ｎ型トランジスター２５ａ１及びＰ型トランジスター２５ａ２のゲートは、メモリー回路２５の入力端子Ｎ１に電気的に接続されている。Ｎ型トランジスター２５ａ１のソースは、低電位電源電位Ｖｓｓが供給される低電位電源線９２に電気的に接続されている。Ｐ型トランジスター２５ａ２のソースは、高電位電源電位ＶＥＰが供給される高電位電源線９１に電気的に接続されている。Ｎ型トランジスター２５ａ１及びＰ型トランジスター２５ａ２のドレインは、メモリー回路２５の出力端子Ｎ２に電気的に接続されている。
【００５１】
インバーター回路２５ｂは、Ｎ型トランジスター２５ｂ１及びＰ型トランジスター２５ｂ２を有している。Ｎ型トランジスター２５ｂ１及びＰ型トランジスター２５ｂ２のゲートは、メモリー回路２５の出力端子Ｎ２に電気的に接続されている。Ｎ型トランジスター２５ｂ１のソースは、低電位電源電位Ｖｓｓが供給される低電位電源線９２に電気的に接続されている。Ｐ型トランジスター２５ｂ２のソースは、高電位電源電位ＶＥＰが供給される高電位電源線９１に電気的に接続されている。Ｎ型トランジスター２５ｂ１及びＰ型トランジスター２５ｂ２のドレインは、メモリー回路２５の入力端子Ｎ１に電気的に接続されている。
【００５２】
高電位電源線９１及び低電位電源線９２は、電位制御部２１０から夫々高電位電源電位ＶＥＰ及び低電位電源電位Ｖｓｓが供給可能に構成されている。高電位電源線９１及び低電位電源線９２の各々と、電位制御部２１０との電気的接続は、スイッチ９１ｓ及び９２ｓの各々をオン状態とオフ状態とをコントローラ１０が切り替えることにより制御される。
【００５３】
メモリー回路２５は、その入力端子Ｎ１にハイレベルのデータ信号が入力されると、その出力端子Ｎ２から低電位電源電位Ｖｓｓを出力し、その入力端子Ｎ１にローレベルのデータ信号が入力されると、その出力端子Ｎ２から高電位電源電位ＶＥＰを出力する。即ち、メモリー回路２５は、入力されたデータ信号がハイレベルであるかローレベルであるかに応じて、低電位電源電位Ｖｓｓ又は高電位電源電位ＶＥＰを出力する。言い換えれば、メモリー回路２５は、入力されたデータ信号を、低電位電源電位Ｖｓｓ又は高電位電源電位ＶＥＰとして記憶可能に構成されている。
【００５４】
スイッチ回路１１０は、第１のトランスミッションゲート１１１及び第２のトランスミッションゲート１１２を備えている。
【００５５】
第１のトランスミッションゲート１１１は、Ｐ型トランジスター１１１ｐ及びＮ型トランジスター１１１ｎを備えている。Ｐ型トランジスター１１１ｐ及びＮ型トランジスター１１１ｎのソースは、第２の制御線９４に電気的に接続されている。Ｐ型トランジスター１１１ｐ及びＮ型トランジスター１１１ｎのドレインは、画素電極２１に電気的に接続されている。Ｐ型トランジスター１１１ｐのゲートは、メモリー回路２５の入力端子Ｎ１に電気的に接続されており、Ｎ型トランジスター１１１ｎのゲートは、メモリー回路２５の出力端子Ｎ２に電気的に接続されている。
【００５６】
第２のトランスミッションゲート１１２は、Ｐ型トランジスター１１２ｐ及びＮ型トランジスター１１２ｎを備えている。Ｐ型トランジスター１１２ｐ及びＮ型トランジスター１１２ｎのソースは、第１の制御線９５に電気的に接続されている。Ｐ型トランジスター１１２ｐ及びＮ型トランジスター１１２ｎのドレインは、画素電極２１に電気的に接続されている。Ｐ型トランジスター１１２ｐのゲートは、メモリー回路２５の出力端子Ｎ２に電気的に接続されており、Ｎ型トランジスター１１２ｎのゲートは、メモリー回路２５の入力端子Ｎ１に電気的に接続されている。
【００５７】
スイッチ回路１１０は、メモリー回路２５に入力されるデータ信号に応じて、第２の制御線９４及び第１の制御線９５のいずれか一方の制御線を択一的に選択して、その一方の制御線を画素電極２１に電気的に接続する。
【００５８】
具体的には、メモリー回路２５の入力端子Ｎ１にハイレベルのデータ信号が入力されると、メモリー回路２５からＮ型トランジスター１１１ｎ及びＰ型トランジスター１１２ｐのゲートに低電位電源電位Ｖｓｓが出力されると共に、Ｐ型トランジスター１１１ｐ及びＮ型トランジスター１１２ｎのゲートに高電位電源電位ＶＥＰが出力されることにより、第２のトランスミッションゲート１１２を構成するＰ型トランジスター１１２ｐ及びＮ型トランジスター１１２ｎのみがオン状態となり、第１のトランスミッションゲート１１１を構成するＰ型トランジスター１１１ｐ及びＮ型トランジスター１１１ｎはオフ状態となる。一方、メモリー回路２５の入力端子Ｎ１にローレベルのデータ信号が入力されると、メモリー回路２５からＮ型トランジスター１１１ｎ及びＰ型トランジスター１１２ｐのゲートに高電位電源電位ＶＥＰが出力されると共に、Ｐ型トランジスター１１１ｐ及びＮ型トランジスター１１２ｎのゲートに低電位電源電位Ｖｓｓが出力されることにより、第１のトランスミッションゲート１１１を構成するＰ型トランジスター１１１ｐ及びＮ型トランジスター１１１ｎのみがオン状態となり、第２のトランスミッションゲート１１２を構成するＰ型トランジスター１１２ｐ及びＮ型トランジスター１１２ｎはオフ状態となる。つまり、メモリー回路２５の入力端子Ｎ１にハイレベルのデータ信号が入力された場合には、第２のトランスミッションゲート１１２のみがオン状態となり、一方、メモリー回路２５の入力端子Ｎ１にローレベルのデータ信号が入力された場合には、第１のトランスミッションゲート１１１のみがオン状態となる。
【００５９】
複数の画素２０の各々の画素電極２１は、スイッチ回路１１０によってデータ信号に応じて択一的に選択された第１又は第２の制御線９４又は９５に電気的に接続される。その際、複数の画素２０の各々の画素電極２１は、スイッチ９４ｓ又は９５ｓのオンオフ状態に応じて、第１の電位ｖ１又は第２の電位ｖ２が供給される、或いはハイインピーダンス状態とされる。
【００６０】
より具体的には、ローレベルのデータ信号が供給される画素２０については、第１のトランスミッションゲート１１１のみがオン状態となり、その画素２０の画素電極２１は、第２の制御線９４に電気的に接続され、スイッチ９４ｓのオンオフ状態に応じて電位制御部２１０から第１又は第２の電位ｖ１又はｖ２が供給され、又は、ハイインピーダンス状態とされる。一方、ハイレベルのデータ信号が供給される画素２０については、第２のトランスミッションゲート１１２のみがオン状態となり、その画素２０の画素電極２１は、第１の制御線９５に電気的に接続され、スイッチ９５ｓのオンオフ状態に応じて電位制御部２１０から第１又は第２の電位ｖ１又はｖ２が供給され、又は、ハイインピーダンス状態とされる。
【００６１】
画素電極２１は、電気泳動素子２３を介して共通電極２２と互いに対向するように配置されている。共通電極２２は、共通電位Ｖｃｏｍが供給される共通電位線９３に電気的に接続されている。
【００６２】
本実施形態では、電位制御部２１０は、第１の制御線９５に供給する電位を第１の電位ｖ１と第２の電位ｖ２との間で、第２の制御線９４に供給する電位を第１の電位ｖ１と第２の電位ｖ２との間で、共通電位Ｖｃｏｍを第３の電位ｖ３と第４の電位ｖ４との間で切り替える。第１及び第２の制御線９５及び９４、共通電位線９３の各々と、電位制御部２１０との電気的接続は、スイッチ９３ｓ、９４ｓ及び９５ｓの各々をオン状態とオフ状態とをコントローラ１０が切り替えることにより制御される。
【００６３】
電気泳動素子２３は、電気泳動粒子をそれぞれ含んでなる複数のマイクロカプセルから構成されている。
【００６４】
次に、本実施形態に係る電気泳動表示装置の表示部の具体的な構成について、図３及び図４を参照して説明する。
【００６５】
図３は、本実施形態に係る電気泳動表示装置の表示部の部分断面図である。
【００６６】
図３において、表示部３は、素子基板２８と対向基板２９との間に電気泳動素子２３が挟持される構成となっている。尚、本実施形態では、対向基板２９側に画像を表示することを前提として説明する。
【００６７】
素子基板２８は、例えばガラスやプラスチック等からなる基板である。素子基板２８上には、ここでは図示を省略するが、図２を参照して上述した画素スイッチング用トランジスター２４、メモリー回路２５、スイッチ回路１１０、走査線４０、データ線５０、高電位電源線９１、低電位電源線９２、共通電位線９３、第２の制御線９４、第１の制御線９５等が作り込まれた積層構造が形成されている。この積層構造の上層側に複数の画素電極２１がマトリクス状に設けられている。
【００６８】
対向基板２９は、例えばガラスやプラスチック等からなる透明な基板である。対向基板２９における素子基板２８との対向面上には、共通電極２２が複数の画素電極２１と対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６９】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。尚、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されている。
【００７０】
マイクロカプセル８０は、画素電極２１及び共通電極２２間に挟持され、１つの画素２０内に（言い換えれば、１つの画素電極２１に対して）１つ又は複数配置されている。
【００７１】
図４は、マイクロカプセルの構成を示す模式図である。尚、図４では、マイクロカプセルの断面を模式的に示している。
【００７２】
図４において、マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。尚、白色粒子８２及び黒色粒子８３は、本発明に係る「電気泳動粒子」の一例である。
【００７３】
被膜８５は、マイクロカプセル８０の外殻として機能し、ポリメタクリル酸メチル、ポリメタクリル酸エチル等のアクリル樹脂、ユリア樹脂、アラビアゴム等の透光性を有する高分子樹脂から形成されている。
【００７４】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７５】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００７６】
黒色粒子８３は、例えば、アニリンブラック、カーボンブラック等の黒色顔料からなる粒子（高分子或いはコロイド）であり、例えば正に帯電されている。
【００７７】
このため、白色粒子８２及び黒色粒子８３は、画素電極２１と共通電極２２との間の電位差によって発生する電場によって、分散媒８１中を移動することができる。
【００７８】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７９】
図３及び図４において、画素電極２１と共通電極２２との間に、相対的に共通電極２２の電位が高くなるように電圧が印加された場合には、正に帯電された黒色粒子８３はクーロン力によってマイクロカプセル８０内で画素電極２１側に引き寄せられると共に、負に帯電された白色粒子８２はクーロン力によってマイクロカプセル８０内で共通電極２２側に引き寄せられる。この結果、マイクロカプセル８０内の表示面側（即ち、共通電極２２側）に白色粒子８２が集まることで、表示部３の表示面にこの白色粒子８２の色（即ち、白色）を表示することができる。逆に、画素電極２１と共通電極２２との間に、相対的に画素電極２１の電位が高くなるように電圧が印加された場合には、負に帯電された白色粒子８２がクーロン力によって画素電極２１側に引き寄せられると共に、正に帯電された黒色粒子８３はクーロン力によって共通電極２２側に引き寄せられる。この結果、マイクロカプセル８０の表示面側に黒色粒子８３が集まることで、表示部３の表示面にこの黒色粒子８３の色（即ち、黒色）を表示することができる。
【００８０】
尚、以下では、画素電極２１の電位が共通電極２２の電位よりも高い場合に画素電極２１と共通電極２２との間に生じる電位差（即ち、電圧）を「正極性の電圧」と適宜称し、共通電極２２の電位が画素電極２１の電位よりも高い場合に画素電極２１と共通電極２２との間に生じる電位差を「負極性の電圧」と適宜称する。
【００８１】
即ち、画素２０に正極性の電圧を印加することにより、該画素２０に黒色を表示させることができ、画素２０に負極性の電圧を印加することにより、該画素２０に白色を表示させることができる。
【００８２】
更に、画素電極２１及び共通電極２２間における白色粒子８２及び黒色粒子８３の分布状態によって、白色と黒色との中間階調である、ライトグレー、グレー、ダークグレー等の灰色を表示することも可能である。例えば、画素電極２１と共通電極２２との間に相対的に共通電極２２の電位が高くなるように電圧を印加することで（即ち、負極性の電圧を印加することで）、マイクロカプセル８０の表示面側に白色粒子８２を集めると共に画素電極２１側に黒色粒子８３を集めた後に、表示すべき中間調に応じた所定期間だけ、画素電極２１と共通電極２２との間に相対的に画素電極２１の電位が高くなるように電圧を印加することで（即ち、正極性の電圧を印加することで）、マイクロカプセル８０の表示面側に黒色粒子８３を所定量だけ移動させると共に画素電極２１側に白色粒子８２を所定量だけ移動させる。この結果、表示部３の表示面に白色と黒色との中間調である灰色を表示することができる。
【００８３】
尚、白色粒子８２、黒色粒子８３に用いる顔料を、例えば赤色、緑色、青色等の顔料に代えることによって、赤色、緑色、青色等のカラー表示を行うことができる。これに加えて若しくは代えて、カラーフィルタを適用してカラー表示を行うようにしてもよい。
【００８４】
次に、上述した電気泳動表示装置に係る各実施形態について、図１から図４に加えて以下の各図を参照して説明する。
【００８５】
＜第１実施形態＞
先ず、図５から図１１を参照して、第１実施形態について説明する。
【００８６】
図５は、中間調を含む画像の一例を表示した状態の電気泳動表示装置の表示部を示す模式図である。
【００８７】
第１実施形態では図５に示すように、表示部を、中間調として相対的に濃い灰色及び相対的に淡い灰色の各々を夫々表示させる中間調表示領域Ｇｄ及びＧｌ、白色を表示させる白色表示領域Ｗ、黒色を表示させる黒色表示領域Ｂからなる４つの領域に分割する場合を例にとる。また、図５中、中間調表示領域Ｇｄに含まれる画素ＰＸ（１，１）と、この画素ＰＸ（１，１）と同一の走査線４０に電気的に接続され且つ白色表示領域Ｗに含まれる画素ＰＸ（１，２）と、中間調表示領域Ｇｌに含まれる画素ＰＸ（２，２）と、この画素ＰＸ（２，２）と同一の走査線４０に電気的に接続され且つ黒色表示領域Ｂに含まれる画素ＰＸ（２，１）とに着目してその表示動作の一例について、後述する図９を参照して説明する。尚、中間調表示領域Ｇｄに含まれる画素ＰＸ（１，１）と、黒色表示領域Ｂに含まれる画素ＰＸ（２，１）とは同一のデータ線５０に電気的に接続され、中間調表示領域Ｇｌに含まれる画素ＰＸ（２，２）と、白色表示領域Ｗに含まれる画素ＰＸ（１，２）とは同一のデータ線５０に電気的に接続されるものとする。
【００８８】
図６は、本実施形態に係る電気泳動表示装置の一の動作を示す概念図であり、図７は、本実施形態に係る電気泳動表示装置の他の動作を示す概念図であり、図８は、本実施形態に係る電気泳動表示装置の動作の概要を示すフローチャートである。
【００８９】
以下では、画素２０が白色を表示する状態を第１表示状態とし、画素２０が黒色を表示する状態は第２表示状態として説明する。図６において、例えば図５に示すような中間調を含む画像を表示する際、先ず、表示部３における全ての画素２０に白色を表示させる全白表示を行い、第１表示状態にしておく。
【００９０】
この際、図２において、各画素２０では、メモリー回路２５にデータ線５０よりデータ信号が供給され保持され、スイッチ回路１１０によって画素電極２１は第１又は第２の制御線９５又は９４に電気的に接続される。電位制御部２１０は、表示部３における全ての画素２０の画素電極２１と共通電極２２との間に、相対的に共通電極２２の電位が高くなるように（即ち、負極性の電圧が印加されるように）、第１及び第２の制御線９５及び９４の各々の電位、及び共通電位Ｖｃｏｍを制御する。
【００９１】
続いて、通常黒駆動により第１及び第２表示状態の間の中間調を選択する前の予備的な動作として、第１実施形態では予備全面白駆動、或いは後述する第２又は第３実施形態における予備反転白駆動を行う。
【００９２】
図８において、予備全面或いは予備反転白駆動に先立って、中間調表示領域Ｇｄ及びＧｌに含まれる画素２０に夫々、データ線５０よりデータ信号がメモリー回路２５に供給されて保持される（ステップＳ１０１；この処理を以下、「データ書込み」と称して説明することもある）。これにより予備反転白駆動において、中間調表示領域Ｇｄ及びＧｌに含まれる画素２０では夫々、スイッチ回路１１０によって画素電極２１が第１の制御線９５に電気的に接続される。尚、予備全面白駆動では、中間調表示領域Ｇｄ及びＧｌに含まれる画素２０では夫々、スイッチ回路１１０によって画素電極２１が第１若しくは第２の制御線９５若しくは９４に電気的に接続される。
【００９３】
その後、電位制御部２１０は、画素電極２１と共通電極２２との間に負極性の電圧が印加されるように、予備反転白駆動では共通電位Ｖｃｏｍを第３の電位ｖ３（一例としてグランド電位（ＧＮＤ））より高い第４の電位ｖ４とし（ステップＳ２０１）、第１の制御線９５の電位を第１の電位ｖ１（例えばＧＮＤ）とし（ステップＳ２０２）、第２の制御線９４の電位を第１の電位ｖ１（ＧＮＤ）より高い第２の電位ｖ２に切り替える（ステップＳ２０３）。尚、予備全面白駆動では、電位制御部２１０は、第１の制御線９５に加えて第２の制御線９４の電位も、第１の電位ｖ１（ＧＮＤ）に制御する。
【００９４】
よって、予備反転白駆動の際、ステップＳ２０１では、共通電位線９３には第３の電位ｖ３（ＧＮＤ）及び第４の電位ｖ４の電位差に基づく電圧が印加され、ステップＳ２０３では、第２の制御線９４には第１の電位ｖ１（ＧＮＤ）及び第２の電位ｖ２の電位差に基づく電圧が印加される。
【００９５】
これにより、中間調表示領域Ｇｄ及びＧｌに含まれる画素２０に夫々、負極性の電圧が所定時間だけ印加され、第１表示状態より黒色粒子８３を画素電極２１側に更に移動させると共に白色粒子８２を共通電極２２側（即ち、表示面側）に更に移動させる。この際、予め第１表示状態にされているため、中間調表示領域Ｇｄ及びＧｌでは夫々表示上は、白色表示のままで顕著な変化は視認されない。
【００９６】
ここに、図６は、通常黒駆動及び予備反転白駆動（或いは予備全面白駆動）による、中間調表示領域Ｇｄ及びＧｌに含まれる画素２０に夫々表示される色の濃度の変化を概念的に示している。
【００９７】
即ち、図６に示すように、中間調表示領域Ｇｄ及びＧｌの各々における灰色を表示すべき画素２０について、第１表示状態（白色を表示する状態）にしておき、同図中の矢印によって示される方向へ（即ち、図６において、白色を濃度０％とし、黒色を濃度１００％とした場合において、濃度０％へ向かう方向即ち第１表示状態側へ）更に予備反転白駆動（或いは予備全面白駆動；ステップＳ２０１〜ステップＳ２０３）により、所定時間だけ負極性の電圧を印加する。言い換えれば、中間調を表示すべき画素２０に、例えば予め設定された持続時間Ｔｃ１（後述する図９）を有する補償電圧パルスＰｃ１（後述する図９参照）を印加する。
【００９８】
続いて、予備反転白駆動或いは予備全面白駆動の後に、通常黒駆動を行う。尚、図９を参照して後に説明するように予備全面白駆動の後に、通常黒駆動の際、再度データ書込みを行う。
【００９９】
電位制御部２１０は、中間調表示領域Ｇｄ及びＧｌに含まれる画素２０に夫々、予備全面或いは予備反転白駆動の際に印加された電圧とは逆極性の正極性の電圧が印加されるように、共通電位Ｖｃｏｍを第３の電位ｖ３（ＧＮＤ）とし（ステップＳ３０１）、第１の制御線９５の電位を第２の電位ｖ２とし（ステップＳ３０２）、第２の制御線９４の電位を第１の電位ｖ１（ＧＮＤ）に切り替える（ステップＳ３０３）。ステップＳ３０２では、第１の制御線９５には第１の電位ｖ１（ＧＮＤ）及び第２の電位ｖ２の電位差に基づく電圧が印加される。
【０１００】
これにより、中間調表示領域Ｇｄ及びＧｌに含まれる画素２０では夫々、画素電極２１と共通電極２２との間に正極性の電圧を印加することにより、黒色粒子８３を共通電極２２側（即ち、表示面側）に所定量だけ移動させると共に白色粒子８２を画素電極２１側に所定量だけ移動させる。この際中間調表示領域Ｇｄ及びＧｌに含まれる画素２０では夫々、表示すべき灰色（即ち、図６において表示すべき目的の濃度の灰色）が表示されるように、画素電極２１と共通電極２２との間に正極性の電圧が所定時間だけ印加される。言い換えれば、この正極性の電圧を印加する所定時間は、白色を表示している画素２０に正極性の電圧を印加し始めた時点から、該画素２０が表示すべき灰色を表示することが可能な時点までの時間として設定される。
【０１０１】
即ち、図６に示すように、通常黒駆動（ステップＳ３０１〜ステップＳ３０３）により、第１表示状態から更に予備全面或いは予備反転白駆動（ステップＳ２０１〜ステップＳ２０３）で所定時間だけ負極性の電圧が印加された状態にある灰色を表示すべき画素２０に、表示すべき灰色（即ち、図６における表示すべき目的の濃度）を表示させる。この際、中間調を表示すべき画素２０に、表示すべき中間調に対応して予め設定された持続時間Ｔａ１及びＴａ２（後述する図９参照）を有する第１及び第２の駆動電圧パルスＰａ１及びＰａ２（後述する図９参照）を印加する。
【０１０２】
より詳しくは図９を参照して後に説明するが、本実施形態では、中間調表示領域Ｇｄ及びＧｌに含まれる画素２０には夫々、２種類の駆動電圧パルスＰａ１及びＰａ２のうち少なくとも１の駆動電圧パルスＰａ１及びＰａ２が印加される。第１の駆動電圧パルスＰａ１の持続時間Ｔａ１は、第２の駆動電圧パルスＰａ２の持続時間Ｔａ２の２倍である。これにより、画素２０に印加される第１又は第２の駆動電圧パルスＰａ１又はＰａ２の持続時間を加え合わせた総持続時間に応じて、画素電極２１と共通電極２２との間に電位差が生じ、正極性の電圧が印加される。その結果、中間調表示領域Ｇｄ及びＧｌの各々では互いに異なる濃さの灰色、即ち互いに異なる階調を表示することが可能となる。
【０１０３】
ここに図７は、図６と同趣旨の図である。図６及び図８では、全白表示を行った後に中間調を含む画像を表示部３に表示させる場合を例にとったが、図７に示すように、全黒表示を行った後（即ち、全ての画素２０に黒色を表示させた後）に、中間調を含む画像を表示部３に表示させてもよい。
【０１０４】
即ち図７において、全黒表示を行った後に、例えば予備反転黒駆動及び通常白駆動をこの順に行う。予備反転黒駆動では、予め第２表示状態とされた灰色を表示すべき画素２０に、第２表示状態側へ正極性の電圧が所定時間だけ画素電極２１と共通電極２２との間に印加される。続いて、通常白駆動では、灰色を表示すべき画素２０の画素電極２１と共通電極２２との間に負極性の電圧を所定時間だけ印加することにより、該画素２０において表示すべき灰色（即ち、目的の濃度の灰色）を表示させる。
【０１０５】
以上、図６及び図８を参照して説明した動作の一例について、次に図９を参照して詳述する。図９は、第１実施形態の電気泳動表示装置の動作例を説明するためのタイミングチャートである。
【０１０６】
尚、図９は、中間調表示領域Ｇｄに含まれる画素ＰＸ（１，１）及び黒色表示領域Ｂに含まれる画素ＰＸ（２，１）に対応するデータ線５０（図９中、データ線Ｘｄ１）、中間調表示領域Ｇｌに含まれる画素ＰＸ（２，２）及び白色表示領域Ｗに含まれる画素ＰＸ（１，２）に対応するデータ線５０（図９中、データ線Ｘｄ２）、中間調表示領域Ｇｄに含まれる画素ＰＸ（１，１）及び白色表示領域Ｗに含まれる画素ＰＸ（１，２）に対応する走査線４０（図９中、走査線Ｙｌ１）、中間調表示領域Ｇｌに含まれる画素ＰＸ（２，２）及び黒色表示領域Ｂに含まれる画素ＰＸ（２，１）に対応する走査線４０（図９中、走査線Ｙｌ２）、共通電極Ｖｃｏｍの電位の変動を夫々示している。加えて図９中には、第１及び第２の制御線９５及び９４の各々の電位の変動についても示してある。
【０１０７】
先ず表示部３において全白表示が行われた後、時刻ｔ０から時刻ｔ１の期間に予備全面白駆動により中間調表示領域Ｇｄ及びＧｌ、白色表示領域Ｗ、黒色表示領域Ｂの各々の画素２０において白色表示を行う。
【０１０８】
中間調表示領域Ｇｄ及びＧｌ、白色表示領域Ｗ、黒色表示領域Ｂの各々では、画素２０はメモリー回路２５に保持されたデータ信号に基づいて、画素電極２１が第１若しくは第２の制御線９５若しくは９４に電気的に接続された状態にある。電位制御部２１０は、画素電極２１と共通電極２２との間に負極性の電圧が印加されるように、共通電位Ｖｃｏｍを第４の電位ｖ４とし（ステップＳ２０１）、第１の制御線９５の電位を第１の電位ｖ１（ＧＮＤ）に切り替え（ステップＳ２０２）、加えて第２の制御線９４の電位も第１の電位ｖ１（ＧＮＤ）に切り替える（ステップＳ２０３）。この際、各画素２０には補償電圧パルスＰｃ１が印加され、図６に示すような第１表示状態側へ、予め設定された補償電圧パルスＰｃ１の持続時間Ｔｃ１に応じて、所定時間だけ負極性の電圧が印加される。これにより、この際、予め第１表示状態にされているため、中間調表示領域Ｇｄ及びＧｌ、白色表示領域Ｗ、黒色表示領域Ｂでは夫々表示上は、白色表示のままで顕著な変化は視認されない。
【０１０９】
続いて、時刻ｔ２から時刻ｔ３の期間にデータ書込みを行う。具体的には、時刻ｔ２から時刻ｔ３の期間内に、走査線Ｙｌ１及び走査線Ｙｌ２の各々には走査信号がこの順に供給され、電位がハイレベルとなり順次に選択される。走査線Ｙｌ１がハイレベルとなる期間に、データ線Ｘｄ１はデータ信号に基づいてハイレベルとなり、データ線Ｘｄ２はデータ信号に基づいてローレベルとなる。従って、中間調表示領域Ｇｄに含まれる画素ＰＸ（１，１）及び白色表示領域Ｗに含まれる画素ＰＸ（１，２）において、画素スイッチング用トランジスター２４を介して、画素ＰＸ（１，１）にはデータ線Ｘｄ１よりハイレベルのデータ信号がメモリー回路２５に供給され保持され、画素ＰＸ（１，２）にはデータ線Ｘｄ２を介してローレベルのデータ信号がメモリー回路２５に供給され保持される。よって、画素ＰＸ（１，１）では、スイッチ回路１１０により画素電極２１が第１の制御線９５に電気的に接続され、画素ＰＸ（１，２）では、スイッチ回路１１０により画素電極２１が第２の制御線９４に電気的に接続される。
【０１１０】
続いて、走査線Ｙｌ２がハイレベルとなる期間に、データ線Ｘｄ１はデータ信号に基づいてハイレベルとなり、データ線Ｘｄ２はデータ信号に基づいてローレベルとなる。従って、黒色表示領域Ｂに含まれる画素ＰＸ（２，１）にはデータ線Ｘｄ１を介してハイレベルのデータ信号がメモリー回路２５に供給され保持され、中間調表示領域Ｇｌに含まれる画素ＰＸ（２，２）には、データ線Ｘｄ２を介してローレベルのデータ信号がメモリー回路２５に供給され保持される。よって、画素ＰＸ（２，１）では、スイッチ回路１１０により画素電極２１が第１の制御線９５に電気的に接続され、画素ＰＸ（２，２）では、スイッチ回路１１０により画素電極２１が第２の制御線９４に電気的に接続される。
【０１１１】
続いて、時刻ｔ４から時刻ｔ５の期間に通常黒駆動を行う。電位制御部２１０は、共通電位Ｖｃｏｍを第３の電位ｖ３（ＧＮＤ）とし（ステップＳ３０１）、第１の制御線９５の電位を第２の電位ｖ２とし（ステップＳ３０２）、第２の制御線９４の電位を第１の電位ｖ１（ＧＮＤ）に切り替える（ステップＳ３０３）。
【０１１２】
この際、中間調を表示すべき画素ＰＸ（１，１）に、表示すべき中間調に対応して予め設定された持続時間Ｔａ１を有する第１の駆動電圧パルスＰａ１が印加される。従って、中間調を表示すべき画素ＰＸ（１，１）では、表示すべき灰色（即ち、図６において表示すべき目的の濃度の灰色）が表示されるように、画素電極２１と共通電極２２との間に正極性の電圧が所定時間だけ印加される。
【０１１３】
また、黒色を表示すべき画素ＰＸ（２，１）にも第１の駆動電圧パルスＰａ１が印加され、通常黒駆動が行われる。
【０１１４】
一方、白色を表示すべき画素ＰＸ（１，２）並びに中間調を表示すべき他の画素ＰＸ（２，２）において夫々、画素電極２１と共通電極２２との間に電位差は生じないため、第１表示状態が維持される。
【０１１５】
図９において、通常黒駆動を行った後に、再び時刻ｔ６から時刻ｔ７の期間にデータ書込み（ステップＳ１０１）を行う。この際、走査線Ｙｌ１及び走査線Ｙｌ２の各々は電位がハイレベルとなり順次に選択される。
【０１１６】
走査線Ｙｌ１がハイレベルとなる期間に、データ線Ｘｄ１及びデータ線Ｘｄ２は夫々データ信号に基づいてローレベルとなる。従って、中間調表示領域Ｇｄに含まれる画素ＰＸ（１，１）及び白色表示領域Ｗに含まれる画素ＰＸ（１，２）において夫々、データ線Ｘｄ１及びデータ線Ｘｄ２の各々を介してローレベルのデータ信号がメモリー回路２５に供給され保持される。よって、画素ＰＸ（１，１）及び画素ＰＸ（１，２）では夫々、スイッチ回路１１０により画素電極２１が第２の制御線９４に電気的に接続される。
【０１１７】
続いて、走査線Ｙｌ２がハイレベルとなる期間に、データ線Ｘｄ１及びデータ線Ｘｄ２はデータ信号に基づいて夫々ハイレベルとなる。従って、黒色表示領域Ｂに含まれる画素ＰＸ（２，１）及び中間調表示領域Ｇｌに含まれる画素ＰＸ（２，２）には夫々、データ線Ｘｄ１及びデータ線Ｘｄ２を介してハイレベルのデータ信号がメモリー回路２５に供給され保持される。よって、画素ＰＸ（２，１）及び画素ＰＸ（２，２）では夫々、スイッチ回路１１０により画素電極２１が第１の制御線９５に電気的に接続される。
【０１１８】
続いて、時刻ｔ８から時刻ｔ９の期間に通常黒駆動を行う。電位制御部２１０は、共通電位Ｖｃｏｍを第３の電位ｖ３（ＧＮＤ）とし（ステップＳ３０１）、第１の制御線９５の電位を第２の電位ｖ２とし（ステップＳ３０２）、第２の制御線９４の電位を第１の電位ｖ１（ＧＮＤ）に切り替える（ステップＳ３０３）。
【０１１９】
この際、中間調を表示すべき画素ＰＸ（２，２）に、表示すべき中間調に対応して予め設定された持続時間Ｔａ２を有する第２の駆動電圧パルスＰａ２が印加される。従って、中間調を表示すべき画素ＰＸ（２，２）では、表示すべき灰色（即ち、図６において表示すべき目的の濃度の灰色）が表示されるように、画素電極２１と共通電極２２との間に正極性の電圧が所定時間だけ印加される。
【０１２０】
また、黒色を表示すべき画素ＰＸ（２，１）にも第２の駆動電圧パルスＰａ２が印加され、通常黒駆動が行われる。
【０１２１】
ここに、画素ＰＸ（１，１）には、印加された第１の駆動電圧パルスＰａ１の総持続時間Ｔａ１に応じて正極性の電圧が画素電極２１及び共通電極２２との間に印加され、画素ＰＸ（２，２）には、印加された第２の駆動電圧パルスＰａ２の総持続時間Ｔａ２に応じて正極性の電圧が画素電極２１及び共通電極２２との間に印加される。即ち、画素ＰＸ（１，１）は相対的に画素ＰＸ（２，２）よりも濃い灰色が表示されるように、言い換えれば画素ＰＸ（２，２）は相対的に画素ＰＸ（１，１）よりも淡い灰色が表示されるように、第１及び第２の駆動電圧パルスＰａ１及び駆動電圧パルスＰａ２が夫々印加される。その結果、中間調表示領域Ｇｄ及びＧｌの各々では互いに異なる濃さの灰色、即ち互いに異なる階調を表示することが可能となる。
【０１２２】
一方、白色を表示すべき画素ＰＸ（１，２）並びに中間調を表示すべき一の画素ＰＸ（１，１）において夫々、画素電極２１と共通電極２２との間に電位差は生じない。
【０１２３】
ここに、図１０及び図１１を参照して、中間調表示領域Ｇｄ及びＧｌで夫々、灰色を表示すべき各画素２０における予備全面白駆動及び通常黒駆動の各々での動作に着目して説明する。図１０は、灰色を表示すべき画素における予備全面白駆動での動作について概略的に示す説明図であり、図１１は、灰色を表示すべき画素における通常黒駆動での動作について概略的に示す説明図である。
【０１２４】
尚、図１０及び図１１に示す３種の画素２０Ｌ、２０Ｍ及び２０Ｓの回路構成については、図２を参照して説明した構成を説明可能な程度に簡略化しつつ一部を省略して示してある。また、図１０及び図１１では夫々、既に説明したような動作（図９参照）により３種の画素２０Ｌ、２０Ｍ及び２０Ｓは夫々、画素電極２１が、スイッチ回路１１０Ｌ、１１０Ｍ、及び１１０Ｓの各々により、第１の制御線９５に電気的に接続されている状態にある。
【０１２５】
図１０において、図９を参照して既に説明したように、予備全面白駆動では電位制御部２１０により、共通電位Ｖｃｏｍは第４の電位ｖ４とし、第１及び第２の制御線９５及び９４の電位は夫々第１の電位ｖ１（ＧＮＤ）として制御される。
【０１２６】
ここに、３種の画素２０Ｌ、２０Ｍ及び２０Ｓの各々において、スイッチ回路１１０Ｌ、１１０Ｌ、及び１１０Ｍを夫々構成するトランジスターＳｗ１Ｌ、Ｓｗ１Ｍ及びＳｗ１Ｓの各々の製造バラツキに起因して、第１の制御線９５と電気泳動素子２３との間の電気的な抵抗の値もばらつくことがある。図１０では、トランジスターＳｗ１Ｌについては電気的な抵抗は比較的小さくなり、トランジスターＳｗ１Ｍについては電気的な抵抗は比較的中程度となり、トランジスターＳｗ１Ｓについては電気的な抵抗は比較的大きくなって、ばらついている。
【０１２７】
その結果、トランジスターＳｗ１Ｌを介して電位ｖ１（ＧＮＤ）が供給される電気泳動素子２３では、マイクロカプセル８０Ｌに対して比較的大きな電圧が印加され、トランジスターＳｗ１Ｍを介して電位ｖ１（ＧＮＤ）が供給される電気泳動素子２３では、マイクロカプセル８０Ｍに対して比較的中程度の電圧が印加され、トランジスターＳｗ１Ｓを介して電位ｖ１（ＧＮＤ）が供給される電気泳動素子２３では、マイクロカプセル８０Ｓに対して比較的小さい電圧が印加される。従って、マイクロカプセル８０Ｌ中の黒色若しくは白色粒子の泳動量が比較的多くなるのに対して、マイクロカプセル８０Ｓ中の黒色若しくは白色粒子の泳動量は比較的少なくなる。尚、同様にしてマイクロカプセル８０Ｍについても、黒色若しくは白色粒子の泳動量は比較的中程度となる。
【０１２８】
ここに、既に説明したように、予備全面白駆動以前に既に第１表示状態にされているため、各画素２０Ｌ、２０Ｍ若しくは２０Ｓで、３種の表示Ｃ１〜Ｃ３について表示上は白色表示のままで顕著な変化は視認されない。
【０１２９】
続いて、図１１において通常黒駆動の際、図９を参照して既に説明したように、電位制御部２１０は、共通電位Ｖｃｏｍを第３の電位ｖ３（ＧＮＤ）とし、第１の制御線９５の電位を第２の電位ｖ２とし、第２の制御線９４の電位を第１の電位ｖ１（ＧＮＤ）に切り替える。この際、図１０に示す予備全面白駆動の場合と比べて、３種の画素２０Ｌ、２０Ｍ及び２０Ｓの各々において、マイクロカプセル８０Ｌ、８０Ｍ及び８０Ｓに夫々印加される電圧の極性が反転される点が異なる。即ち、マイクロカプセル８０Ｌ、８０Ｍ及び８０Ｓに夫々印加される電圧の大小関係については、図１０と同様となる。
【０１３０】
これにより、マイクロカプセル８０Ｌ中の黒色若しくは白色粒子が比較的大きく泳動し、これに対してマイクロカプセル８０Ｓ中の黒色若しくは白色粒子が比較的小さく泳動する。よって、各画素２０Ｌ、２０Ｍ若しくは２０Ｓで、同程度の濃さの灰色の表示（Ｃ１〜Ｃ３）を行うことが可能となる。
【０１３１】
以上のように本実施形態では、中間調を表示する際、第１表示状態が選択された画素に対して、補償電圧パルスＰｃ１を印加した後、第１及び第２の駆動電圧パルスＰａ１及びＰａ２を夫々連続的に印加する（言い換えれば、中間調を選択すべき画素２０に対して第１及び第２の駆動電圧パルスＰａ１及びＰａ２を印加する前に、該画素２０を第１表示状態とし、更に該画素２０に対して第１及び第２の駆動電圧パルスＰａ１及びＰａ２とは極性が逆の補償電圧パルスＰｃ１を印加する）ことにより、複数の中間調を表示すべき画素２０の各々に設けられた画素回路の製造バラツキに起因する表示上のノイズを低減或いは除去することができる（即ち、同一の中間調を表示すべき画素２０間で異なる中間調が表示されてしまうことを低減することができる）。つまり本実施形態によれば、例えば、中間調を表示すべき画素２０に第１及び第２の駆動電圧パルスＰａ１及びＰａ２の各々のみを印加することにより該画素２０に中間調を表示させる場合と比較して、画素電極２１及び共通電極２２間に電圧を印加する時間を長くすることができるので、上述したように駆動電圧を印加する時間が短いほど顕著に発生する傾向があるノイズ（即ち、中間調を表示する際のノイズ）を効果的に低減或いは除去することができる。この結果、高品位な表示を行うことができる。
【０１３２】
尚、第１及び第２の駆動電圧パルスＰａ１及びＰａ２は夫々、中間調を表示すべき画素２０に対して補償電圧パルスＰｃ１が印加された直後（例えば、補償電圧パルスＰｃ１が印加されてから１秒以内など）に印加されるのが好ましい。すなわち、時刻ｔ１と時刻ｔ２との間隔ができるだけ短いことが好ましい。時刻ｔ１と時刻ｔ２との間隔がないと、さらに好ましい。この場合には、上述したような表示上のノイズをより一層確実に低減或いは除去することができる。即ち、補償電圧パルスＰｃ１を印加してから第１及び第２の駆動電圧パルスＰａ１及びＰａ２を印加するまでの期間が短いほど、上述したような表示上のノイズをより一層確実に低減或いは除去することができる。
【０１３３】
また、図９を参照して説明したように、第１及び第２の駆動電圧パルスＰａ１及びＰａ２はいずれも同じ極性であり、補償電圧パルスＰｃ１を印加した後、第１及び第２の駆動電圧パルスＰａ１及びＰａ２を夫々、異なる中間調を表示すべき画素２０に対して連続的に印加する。即ち、第１及び第２の駆動電圧パルスＰａ１及びＰａ２の各々の印加は、間に補償電圧パルスＰｃ１の印加を挿むことなく連続的に行われる。従って、第１及び第２の駆動電圧パルスＰａ１及びＰａ２の各々を印加するたびに補償電圧パルスＰｃ１を印加する場合と比較して、中間調を速やかに表示することができる（即ち、表示すべき中間調を表示するのに必要とする時間を短くすることができる）。更に、第１及び第２の制御線９５及び９４、並びに共通電位線９３に夫々電圧を印加するのに必要となる消費電力を抑制することができる。
【０１３４】
また、図９において予備全面白駆動の際（時刻ｔ０〜時刻ｔ１の期間）、補償電圧パルスＰｃ１の持続時間Ｔｃ１は好ましくは、第１又は第２の駆動電圧パルスＰａ１又はＰａ２の総持続時間Ｔａ１又はＴａ２よりも短い。従って例えば、補償電圧パルスＰｃ１の持続時間Ｔｃ１が第１又は第２の駆動電圧パルスＰａ１又はＰａ２の総持続時間Ｔａ１又はＴａ２よりも長い場合と比較して、中間調を速やかに表示することができる（即ち、表示すべき中間調を表示するのに必要とする時間を短くすることができる）。更に、第１及び第２の制御線９５及び９４、並びに共通電位線９３に夫々電圧を印加するのに必要となる消費電力を抑制することができる。
【０１３５】
尚、補償電圧パルスＰｃ１の持続時間Ｔｃ１を第１又は第２の駆動電圧パルスＰａ１又はＰａ２の総持続時間Ｔａ１又はＴａ２よりも長くするようにしてもよい。このようにすれば例えば、画素電極２１及び共通電極２２間に対して正極性よりも負極性の電圧が印加されたときのほうが、電気泳動層に含まれる電気泳動粒子が移動しにくい場合であっても、第１及び第２の制御線９５及び９４、並びに共通電位線９３の各々に印加される電圧を反転することにより、表示すべき中間調を確実に表示することができる。この場合、補償電圧パルスＰｃ１の持続時間Ｔｃ１は、例えば、電気泳動層に含まれる電気泳動粒子の特性（例えば、電気泳動粒子の移動のしやすさ）に基づいて設定されてもよい。
【０１３６】
また、図９によれば、第２表示状態が選択される画素２０に対しては、補償電圧パルスＰｃ１を印加しない。従って、第１及び第２表示状態が夫々選択される画素２０、即ち、図５において白色を表示すべき領域Ｗ及び黒色を表示すべき領域Ｂに含まれる画素２０の各々を確実に夫々第１又は第２表示状態とすることができる。即ち、この場合、黒色を表示すべき領域Ｂについて、第１表示状態にある画素２０を第２表示状態にする場合には、該画素２０に対しては第１及び第２の駆動電圧パルスＰａ１及びＰａ２のみが印加され、その後画素電極２１及び共通電極２２間の電圧は反転されない。一方、白色を表示すべき領域Ｗについて、第１表示状態にある画素２０はこの状態が維持される。
【０１３７】
よって、第１及び第２表示状態となるべき画素２０の各々については、第２表示状態よりも第１表示状態に近い状態の表示（例えば白に寄った黒色、即ち灰色の表示）、及び第１表示状態よりも第２表示状態に近い状態の表示が夫々視認される煩わしさを回避することができる。
【０１３８】
従って以上のような本実施形態によれば、中間調を表示する際のノイズを低減でき、高品位な表示を行うことが可能となる。
【０１３９】
＜第２実施形態＞
次に、図１２を参照して第２実施形態について説明する。図１２は、第２実施形態の電気泳動表示装置の動作例を説明するためのタイミングチャートである。
【０１４０】
第２実施形態は、第１実施形態に対して電気泳動表示装置の動作例が部分的に異なっている。以下では、第１実施形態と異なる一部分について詳細に説明し、他の同様の部分について、既に説明した各図を参照し重複する点は省略又は簡略化することもある。
【０１４１】
第２実施形態でも、第１実施形態と同様に図５において、表示部を中間調表示領域Ｇｄ及びＧｌ、白色表示領域Ｗ、黒色表示領域Ｂからなる４つの領域に分割する場合を例にとる。図１２では、データ線Ｘｄ１、データ線Ｘｄ２、走査線Ｙｌ１、走査線Ｙｌ２、共通電極Ｖｃｏｍの電位の変動を夫々示すと共に、第１及び第２の制御線９５及び９４の各々の電位の変動についても示してある。
【０１４２】
先ず表示部３において全白表示が行われた後、時刻ｔ０から時刻ｔ１のデータ書込みの期間内において、走査線Ｙｌ１がハイレベルとなる期間に、データ線Ｘｄ１はデータ信号に基づいてハイレベルとなり、データ線Ｘｄ２はデータ信号に基づいてローレベルとなり、走査線Ｙｌ２がハイレベルとなる期間に、データ線Ｘｄ１はデータ信号に基づいてハイレベルとなり、データ線Ｘｄ２はデータ信号に基づいてローレベルとなる。
【０１４３】
従って、画素ＰＸ（１，１）では画素電極２１が第１の制御線９５に電気的に接続され、画素ＰＸ（１，２）では画素電極２１が第２の制御線９４に電気的に接続される。その後、画素ＰＸ（２，１）では画素電極２１が第１の制御線９５に電気的に接続され、画素ＰＸ（２，２）では画素電極２１が第２の制御線９４に電気的に接続される。
【０１４４】
続いて、時刻ｔ２から時刻ｔ３の期間に予備反転白駆動を行う。電位制御部２１０は、画素電極２１と共通電極２２との間に負極性の電圧が印加されるように、共通電位Ｖｃｏｍを第４の電位ｖ４とし、第１の制御線９５の電位を第１の電位ｖ１（ＧＮＤ）に切り替え、加えて第２の制御線９４の電位を第２の電位ｖ２に切り替える。この際、中間調を表示すべき一の画素ＰＸ（１，１）及び黒色を表示すべき画素ＰＸ（２，１）には夫々補償電圧パルスＰｃ２が印加され、図６に示すような第１表示状態側へ、予め設定された補償電圧パルスＰｃ２の持続時間Ｔｃ２に応じて、所定時間だけ負極性の電圧が印加される。これにより、この際、予め第１表示状態にされているため、中間調表示領域Ｇｄ及びＧｌ、白色表示領域Ｗ、黒色表示領域Ｂでは夫々表示上は、白色表示のままで顕著な変化は視認されない。
【０１４５】
続いて、時刻ｔ４から時刻ｔ５の期間に通常黒駆動を行う。中間調を表示すべき一の画素ＰＸ（１，１）に、持続時間Ｔａ１を有する第１の駆動電圧パルスＰａ１が印加され、表示すべき灰色（目的の濃度の灰色）が表示されるように、画素電極２１と共通電極２２との間に正極性の電圧が所定時間だけ印加される。また、黒色を表示すべき画素ＰＸ（２，１）にも第１の駆動電圧パルスＰａ１が印加され、通常黒駆動が行われる。一方、白色を表示すべき画素ＰＸ（１，２）並びに中間調を表示すべき他の画素ＰＸ（２，２）において夫々、画素電極２１と共通電極２２との間に電位差は生じないため、第１表示状態が維持される。
【０１４６】
通常黒駆動を行った後に、再び時刻ｔ６から時刻ｔ７の期間にデータ書込みを行う。走査線Ｙｌ１がハイレベルとなる期間に、データ線Ｘｄ１及びデータ線Ｘｄ２は夫々データ信号に基づいてローレベルとなり、走査線Ｙｌ２がハイレベルとなる期間に、データ線Ｘｄ１及びデータ線Ｘｄ２はデータ信号に基づいて夫々ハイレベルとなる。よって、画素ＰＸ（１，１）及び画素ＰＸ（１，２）では夫々画素電極２１が第２の制御線９４に電気的に接続され、画素ＰＸ（２，１）及び画素ＰＸ（２，２）では夫々画素電極２１が第１の制御線９５に電気的に接続される。
【０１４７】
続いて、時刻ｔ８から時刻ｔ９の期間に予備反転白駆動を行う。この際、中間調を表示すべき他の画素ＰＸ（２，２）及び黒色を表示すべき画素ＰＸ（２，１）には夫々補償電圧パルスＰｃ３が印加され、第１表示状態側へ、予め設定された補償電圧パルスＰｃ３の持続時間Ｔｃ３に応じて、所定時間だけ負極性の電圧が印加される。
【０１４８】
続いて、時刻ｔ１０から時刻ｔ１１の期間に通常黒駆動を行う。中間調を表示すべき他の画素ＰＸ（２，２）に、持続時間Ｔａ２を有する第２の駆動電圧パルスＰａ２が印加され、表示すべき灰色（目的の濃度の灰色）が表示されるように、画素電極２１と共通電極２２との間に正極性の電圧が所定時間だけ印加される。また、黒色を表示すべき画素ＰＸ（２，１）にも第２の駆動電圧パルスＰａ２が印加され、通常黒駆動が行われる。一方、白色を表示すべき画素ＰＸ（１，２）並びに中間調を表示すべき一の画素ＰＸ（１，１）において夫々、画素電極２１と共通電極２２との間に電位差は生じない。
【０１４９】
従って第２実施形態によれば、第１の駆動電圧パルスＰａ１を印加する前に補償電圧パルスＰｃ２を印加し、加えてこれと同様に、第２の駆動電圧パルスＰａ２を印加する前にも補償電圧パルスＰｃ３を印加する。よって、この場合には第１及び第２の駆動電圧パルスＰａ１及びＰａ２の各々の印加の度に、補償電圧パルスＰｃ２及びＰｃ３が夫々印加される。よって、中間調を表示すべき一の画素ＰＸ（１，１）及び中間調を表示すべき他の画素ＰＸ（２，２）の各々に対して、補償電圧パルスＰｃ２及びＰｃ３の各々の印加の直後に第１及び第２の駆動電圧パルスＰａ１及びＰａ２の各々を印加することができる。即ち、第１及び第２の駆動電圧パルスＰａ１及びＰａ２の各々について、該駆動電圧パルスＰａ１若しくはＰａ２の印加と補償電圧パルスの印加Ｐｃ２若しくはＰｃ３との期間をより短くすることが可能となるため、表示上のノイズをより一層確実に低減或いは除去することができる。本実施例においても、時刻ｔ３と時刻ｔ４との間隔ができるだけ短く、時刻ｔ９と時刻ｔ１０との間隔ができるだけ短い方が好ましい。その間隔がない方がさらに好ましい。
【０１５０】
＜第３実施形態＞
次に、図１３及び図１４を参照して第３実施形態について説明する。
【０１５１】
図１３及び図１４は、第３実施形態の電気泳動表示装置の動作例を説明するためのタイミングチャートである。尚、図１３は、時刻ｔ０から時刻ｔ７までの期間におけるタイミングチャートであり、図１４は、時刻ｔ７の後の時刻ｔ８から時刻ｔ１５までの期間におけるタイミングチャートである。
【０１５２】
第３実施形態は、第１及び第２実施形態に対して電気泳動表示装置の動作例が部分的に異なっている。以下では、第１及び第２実施形態と異なる一部分について詳細に説明し、他の同様の部分について、既に説明した各図を参照し重複する点は省略又は簡略化することもある。
【０１５３】
第３実施形態でも、第１及び第２実施形態と同様に図５において、表示部を中間調表示領域Ｇｄ及びＧｌ、白色表示領域Ｗ、黒色表示領域Ｂからなる４つの領域に分割する場合を例にとる。図１３及び図１４では、データ線Ｘｄ１、データ線Ｘｄ２、走査線Ｙｌ１、走査線Ｙｌ２、共通電極Ｖｃｏｍの電位の変動を夫々示すと共に、第１及び第２の制御線９５及び９４の各々の電位の変動についても示してある。
【０１５４】
図１３において、時刻ｔ０から時刻ｔ１のデータ書込みの期間において、走査線Ｙｌ１がハイレベルとなる期間に、データ線Ｘｄ１はデータ信号に基づいてハイレベルとなり、データ線Ｘｄ２はデータ信号に基づいてローレベルとなり、走査線Ｙｌ２がハイレベルとなる期間に、データ線Ｘｄ１はデータ信号に基づいてハイレベルとなり、データ線Ｘｄ２はデータ信号に基づいてローレベルとなる。よって、画素ＰＸ（１，１）では画素電極２１が第１の制御線９５に電気的に接続され、画素ＰＸ（１，２）では画素電極２１が第２の制御線９４に電気的に接続される。また、画素ＰＸ（２，１）では画素電極２１が第１の制御線９５に電気的に接続され、画素ＰＸ（２，２）では画素電極２１が第２の制御線９４に電気的に接続される。
【０１５５】
続いて、時刻ｔ２から時刻ｔ３の期間に通常黒駆動を行い、画素ＰＸ（１，１）及び画素ＰＸ（２，１）を夫々、黒色を表示する状態即ち第２表示状態とする。この際、電位制御部２１０は、共通電位Ｖｃｏｍを第３の電位ｖ３（ＧＮＤ）とし、第１の制御線９５の電位を第２の電位ｖ２とし、第２の制御線９４の電位を第１の電位ｖ１（ＧＮＤ）に切り替える。これにより、中間調を表示すべき一の画素ＰＸ（１，１）及び黒色を表示すべき画素ＰＸ（２，１）には、黒色を表示させるために予め設定された持続時間Ｔａ０を有する駆動電圧パルスＰａ０が印加される。従って、画素ＰＸ（１，１）及び画素ＰＸ（２，１）では、黒色が表示されるように、画素電極２１と共通電極２２との間に正極性の電圧が所定時間だけ印加される。
【０１５６】
一方、白色を表示すべき画素ＰＸ（１，２）並びに中間調を表示すべき他の画素ＰＸ（２，２）において夫々、画素電極２１と共通電極２２との間に電位差は生じないが、続く時刻ｔ４から時刻ｔ５の期間に通常白駆動（図７参照）を行い、画素ＰＸ（１，２）及び画素ＰＸ（２，２）を夫々、白色を表示する状態即ち第１表示状態とする。
【０１５７】
具体的には、時刻ｔ４から時刻ｔ５の期間の通常白駆動では、電位制御部２１０は、共通電位Ｖｃｏｍを第４の電位ｖ４とし、第１の制御線９５の電位を第２の電位ｖ２とし、第２の制御線９４の電位を第１の電位ｖ１（ＧＮＤ）に切り替える。この際、中間調を表示すべき他の画素ＰＸ（２，２）及び白色を表示すべき画素ＰＸ（１，２）には、白色を表示させるために予め設定された持続時間Ｔｂ０を有する駆動電圧パルスＰｂ０が印加される。従って、画素ＰＸ（１，２）及び画素ＰＸ（２，２）では、白色が表示されるように、画素電極２１と共通電極２２との間に負極性の電圧が所定時間だけ印加される。
【０１５８】
続いて図１４において、再び時刻ｔ６からｔ７の期間にデータ書込みを行う。走査線Ｙｌ１がハイレベルとなる期間に、データ線Ｘｄ１及びデータ線Ｘｄ２は夫々データ信号に基づいてローレベルとなり、走査線Ｙｌ２がハイレベルとなる期間に、データ線Ｘｄ１及びデータ線Ｘｄ２はデータ信号に基づいて夫々ハイレベルとなる。よって、画素ＰＸ（１，１）及び画素ＰＸ（１，２）では夫々画素電極２１が第２の制御線９４に電気的に接続され、画素ＰＸ（２，１）及び画素ＰＸ（２，２）では夫々画素電極２１が第１の制御線９５に電気的に接続される。
【０１５９】
続いて、時刻ｔ８から時刻ｔ９の期間に予備反転白駆動を行う。この際、中間調を表示すべき他の画素ＰＸ（２，２）及び黒色を表示すべき画素ＰＸ（２，１）には夫々補償電圧パルスＰｃ４が印加され、第１表示状態側へ予め設定された補償電圧パルスＰｃ４の持続時間Ｔｃ４に応じて、所定時間だけ負極性の電圧が印加される。
【０１６０】
続いて、時刻ｔ１０から時刻ｔ１１の期間に通常黒駆動を行う。中間調を表示すべき他の画素ＰＸ（２，２）に、持続時間Ｔａ３を有する駆動電圧パルスＰａ３が印加され、表示すべき灰色（目的の濃度の灰色）が表示されるように、画素電極２１と共通電極２２との間に正極性の電圧が所定時間だけ印加される。また、黒色を表示すべき画素ＰＸ（２，１）にも駆動電圧パルスＰａ３が印加され、通常黒駆動が行われる。一方、白色を表示すべき画素ＰＸ（１，２）並びに中間調を表示すべき一の画素ＰＸ（１，１）において夫々、画素電極２１と共通電極２２との間に電位差は生じない。
【０１６１】
続いて、時刻ｔ１２から時刻ｔ１３の期間に予備反転黒駆動を行う。電位制御部２１０は、時刻ｔ１２から時刻ｔ１３の期間の持続時間Ｔｃ５だけ、共通電位Ｖｃｏｍを第３の電位ｖ３（ＧＮＤ）とし、第１の制御線９５の電位を第１の電位ｖ１（ＧＮＤ）とし、第２の制御線９４の電位を第２の電位ｖ２に切り替える。この際、中間調を表示すべき一の画素ＰＸ（１，１）及び白色を表示すべき画素ＰＸ（１，２）には夫々補償電圧パルスＰｃ５が印加され、図７に示すように第２表示状態側へ、予め設定された補償電圧パルスＰｃ５の持続時間Ｔｃ５に応じて、所定時間だけ正極性の電圧が印加される。
【０１６２】
続いて、時刻ｔ１４から時刻ｔ１５の期間に通常白駆動を行う。電位制御部２１０は、時刻ｔ１４から時刻ｔ１５の期間の持続時間Ｔｂ３だけ、共通電位Ｖｃｏｍを第４の電位ｖ４とし、第１の制御線９５の電位を第２の電位ｖ２とし、第２の制御線９４の電位を第１の電位ｖ１（ＧＮＤ）に切り替える。この際、中間調を表示すべき一の画素ＰＸ（１，１）に、持続時間Ｔｂ３を有する駆動電圧パルスＰｂ３が印加され、表示すべき灰色（目的の濃度の灰色）が表示されるように、画素電極２１と共通電極２２との間に負極性の電圧が所定時間だけ印加される。また、白色を表示すべき画素ＰＸ（１，２）にも駆動電圧パルスＰｂ３が印加され、通常白駆動が行われる。一方、黒色を表示すべき画素ＰＸ（２，１）並びに中間調を表示すべき他の画素ＰＸ（２，２）において夫々、画素電極２１と共通電極２２との間に電位差は生じない。
【０１６３】
第３実施形態では、予備反転白駆動及び通常黒駆動と共に予備反転黒駆動及び通常白駆動を行う。予備反転黒駆動及び通常白駆動では、中間調を表示すべき一の画素ＰＸ（１，１）を第２表示状態（即ち黒色）としておき、補償電圧パルスＰｃ５により第２表示状態側へ正極性の電圧を印加した後、少なくとも１の駆動電圧パルスＰｂ３を印加して第１表示状態側の表示すべき中間調を表示させる。
【０１６４】
また、データ書込みにより、例えば中間調を表示すべき一の画素ＰＸ（１，１）と他の画素ＰＸ（２，２）で夫々互いに第１及び第２の制御線９５及び９４に対する画素電極２１の電気的な接続状態を異なる状態としてあるので、予備反転白駆動（時刻ｔ８〜時刻ｔ９の期間）及び通常黒駆動（時刻ｔ１０〜時刻ｔ１１の期間）と、予備反転黒駆動（時刻ｔ１２〜時刻ｔ１３の期間）及び通常白駆動（時刻ｔ１４〜時刻ｔ１５の期間）を、第１及び第２の制御線９５及び９４に対する画素電極２１の電気的な接続状態を改めて変更することなく夫々行うことができる。従って、データ線５０を介してのデータ信号の供給をより簡易にし、より容易に且つ高品位に中間調を表示させることが可能となる。
【０１６５】
尚、図１３及び図１４によれば、黒色を表示すべき画素ＰＸ（２，１）には夫々補償電圧パルスＰｃ４が印加され第１表示状態側へ負極性の電圧が印加され、白色を表示すべき画素ＰＸ（１，２）には夫々補償電圧パルスＰｃ５が印加され第２表示状態側へ正極性の電圧が印加される。その結果、図５において、白色表示領域Ｗ及び黒色表示領域Ｂでは夫々、白に寄った黒色又は黒に寄った白色、即ち灰色の表示が行われる。従って、このような灰色の表示が視認される煩わしさを回避するために、２回目のデータ書込み（図１４に示す時刻ｔ６〜時刻ｔ７の期間）に代えて、中間調表示領域Ｇｄ及びＧｌの各々における画素ＰＸ（１，１）及び画素ＰＸ（２，２）を夫々選択するデータ書込みを行い、補償電圧パルス及び駆動電圧パルスを夫々印加するようにしてもよい。このような駆動と比較して、図１３及び図１４による駆動によれば、より速やかに中間調を表示することができる。本実施例においても、時刻ｔ９と時刻ｔ１０との間隔ができるだけ短く、時刻ｔ１３と時刻ｔ１４との間隔ができるだけ短い方が好ましい。その間隔がない方がさらに好ましい。
【０１６６】
＜電子機器＞
次に、上述した電気泳動表示装置を適用した電子機器について、図１５及び図１６を参照して説明する。以下では、上述した電気泳動表示装置を電子ペーパー及び電子ノートに適用した場合を例にとる。
【０１６７】
図１５は、電子ペーパー４００の構成を示す斜視図である。
【０１６８】
図１５に示すように、電子ペーパー４００は、上述した実施形態に係る電気泳動表示装置を表示部４０１として備えている。電子ペーパー４００は可撓性を有し、従来の紙と同様の質感及び柔軟性を有する書き換え可能なシートからなる本体４０２を備えて構成されている。
【０１６９】
図１６は、電子ノート５００の構成を示す斜視図である。
【０１７０】
図１６に示すように、電子ノート５００は、図１５で示した電子ペーパー４００が複数枚束ねられ、カバー５０１に挟まれているものである。カバー５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１７１】
上述した電子ペーパー４００及び電子ノート５００は、上述した実施形態に係る電気泳動表示装置を備えるので、高品質な画像表示を行うことが可能である。
【０１７２】
尚、これらの他に、腕時計、携帯電話、携帯用オーディオ機器などの電子機器の表示部に、上述した本実施形態に係る電気泳動表示装置を適用することができる。
【０１７３】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置及び該電気泳動表示装置を備えてなる電子機器もまた本発明の技術的範囲に含まれるものである。
【符号の説明】
【０１７４】
２０…画素、２１…画素電極、２２…共通電極、２３…電気泳動素子、２４…画素スイッチング用トランジスター、２５…メモリー回路、４０…走査線、５０…データ線、９４…第２の制御線、９５…第１の制御線、１１０…スイッチ回路、２１０…電位制御部
【図１】
2011186075.tif 000003
【図２】
2011186075.tif 000004
【図３】
2011186075.tif 000005
【図４】
2011186075.tif 000006
【図５】
2011186075.tif 000007
【図６】
2011186075.tif 000008
【図７】
2011186075.tif 000009
【図８】
2011186075.tif 000010
【図９】
2011186075.tif 000011
【図１０】
2011186075.tif 000012
【図１１】
2011186075.tif 000013
【図１２】
2011186075.tif 000014
【図１３】
2011186075.tif 000015
【図１４】
2011186075.tif 000016
【図１５】
2011186075.tif 000017
【図１６】
2011186075.tif 000018